(57)【特許請求の範囲】
【請求項１】
車両の室内空気状態を制御するための空調機と、
シートに装着され、ブロアー吸入口を通じて流入した車両の室内空気をシートクッション及びシートバック側に流動させるシートブロアーと、
該シートブロアーと前記空調機との間に空気流動可能に取り付けられる連結ダクトと、
前記ブロアー吸入口の縁部に通気可能に形成され、前記連結ダクトに連結されるメッシュフレームと、
を含んでなり、
前記メッシュフレームには、前記ブロアー吸入口に流入した空気が車両の室内に漏洩することを防止するための通気性不織布シートが付着され、
前記通気性不織布シートは、前記空調機の作動時には連結ダクトを通じて供給される前記空調機の冷気が車両の室内に排出されることを防止し、前記空調機の非作動時には車両の室内空気を吸入できるようにすることを特徴とする空調機連動シート装置。
【請求項２】
前記ブロアー吸入口は、その幅方向に連結ダクトの端部との間に一定間隔を持つことを特徴とする請求項１に記載の空調機連動シート装置。
【請求項３】
前記ブロアー吸入口は、その垂直方向に前記連結ダクトの端部との間に一定間隔を持つことを特徴とする請求項１に記載の空調機連動シート装置。
【請求項４】
空気を受けるように前記空調機に連結されてシートに装着され、シートバックの後面とシートクッションの下面の中で選択された何れか一方又は両方に、前記空調機から供給された空気を吐き出す風向転換ベント部を更に含むことを特徴とする請求項１に記載の空調
機連動シート装置。
【請求項５】
前記風向転換ベント部は、
シートバックの内部に装着され、シートバックの後面に空気を吐き出す上部ダクトと、
該上部ダクトに空気流動可能に連結され、シートクッションの下面に空気を吐き出すための開口部を持つ中間ダクトと、
前記開口部を開閉するためのモード転換ドアと、
該モード転換ドアの開閉動作のためのドアアクチュエーターと、
を含むことを特徴とする請求項４に記載の空調機連動シート装置。
【請求項６】
前記風向転換ベント部は、前記ドアアクチュエーターの動作を制御する制御器を含むことを特徴とする請求項５に記載の空調機連動シート装置。
【請求項７】
前記制御器は、前記空調機が乗客の身体上部に空気を送風するモードであれば、前記ドアアクチュエーターによって前記モード転換ドアが前記中間ダクトの開口部を閉めるように動作させることを特徴とする請求項６に記載の空調機連動シート装置。
【請求項８】
前記制御器は、前記空調機が乗客の身体上部及び身体下部の両方に空気を送風するモードであれば、前記ドアアクチュエーターによって前記モード転換ドアが前記中間ダクトの開口部を一部のみ閉めるように動作させることを特徴とする請求項６に記載の空調機連動シート装置。
【請求項９】
前記制御器は、前記空調機が乗客の身体下部に空気を送風するモードであれば、前記ドアアクチュエーターによって前記モード転換ドアが前記中間ダクトの開口部を開くように動作させることを特徴とする請求項６に記載の空調機連動シート装置。
【請求項１０】
前記風向転換ベント部は、シートバックの位置変動に対応して変形可能なシートバックフレキシブルダクトを含み、該シートバックフレキシブルダクトは、上部ダクトと中間ダクトとの間に連結されることを特徴とする請求項５に記載の空調機連動シート装置。
【請求項１１】
前記風向転換ベント部は、シートクッションの位置変動に対応して変形可能なシートクッションフレキシブルダクトを含み、該シートクッションフレキシブルダクトは前記中間ダクトと前記空調機との間に連結されることを特徴とする請求項５に記載の空調機連動シート装置。
【請求項１２】
前記シートブロアーと前記空調機との間には、空気流動のための連結ダクトが取り付けられ、該連結ダクトは、シートクッションの位置変動に対応して変形可能なフレキシブルダクト部を含むことを特徴とする請求項４に記載の空調機連動シート装置。
【発明の詳細な説明】
【技術分野】
【０００１】
本発明は空調機連動シート装置に係り、より詳しくは、空調機に連結されたシート通気及び後部座席冷暖房のための空調機連動シート装置に関する。
【背景技術】
【０００２】
自動車のシートは、主に搭乗者の身体下部の荷重を支持する座面部であるシートクッションと、搭乗者の身体上部の荷重を支持する背板部にであるシートバックと、に区分できる。
【０００３】
このような構成のシートには、乗客の快適な環境のために、多様な技術が適用されている。
冷却性能を確保するための代表的な技術の例として、シートクッションに特定形態のマットを適用して空気を送り出す技術、ダクトを用いて空気を送出する技術、及び空調装置に連結され空調された空気を送出する技術がある。
【０００４】
また、他の技術として、シートの冷却性能を確保するために熱電素子を用いてシートを冷却したが、車両の室内空気を吸入してから熱電素子を通過させることで、空気の温度をより低めてシートの表面に送出することによってシートの冷房を行う方法が開示された。
【０００５】
更に他の技術として、送風機モジュールによって吸入した室内空気を、シートの表面に送出する前に、熱電素子モジュールを通過させて熱電素子モジュールの内部で室内空気を冷却させた後、空気分配構造によって冷却空気をシートバックの前面とシートクッションの下面とに送り出した。
【０００６】
ところが、このような熱電素子モジュールを用いた従来技術の場合、熱電素子モジュールのコストが高く、熱電素子モジュールの空気冷却のために吸入風量の２／３以上を室内に捨てなければならないという問題があった。
【０００７】
更に他の従来技術は、シートの冷却性能を確保するために、車両の空調装置に連結してシートの冷房を行う技術として、空調装置の冷却空気をシート通気ブロアーに直接連結してシートの冷房を行う技術が開示されている（例えば特許文献１を参照）。
【０００８】
しかしながら、特許文献１は、空調された空気をシート通気ブロアーに直接連結することによって、通気シートを作動させる際に、従来の空調装置は、吐出風量の低下が大きく発生し、空調装置のオフ条件で通気シートを作動させた時に、ダクトの抵抗によって通気シートから風が吐き出されないという問題点があった。
【０００９】
言い換えれば、シート通気ブロアーに空調された風の連結のためのダクトを直接連結することにより、ダクトの出口の風量が減少し、これにより、前部座席シートを冷房した際、後部座席シートの冷房性能が悪くなるという問題をもたらす。
【００１０】
一方従来は、後部座席の冷房のために、前部座席の中央に位置する後部座席コンソールと、前部座席の左右両側に位置するセンターピラーと、にベント構造を採用し、空調機から、リアフロアー又はコンソール／センターピラー側への風向を調節することが必要になる。
【００１１】
ところが、このような後部座席コンソール及びセンターピラーのベント構造によって後部座席に排出される空気は主に乗客の身体下部側に送出されるから、身体上部側への風量が不足し、またダクト流動経路が長くなって熱損失が発生することになった。
【００１２】
特許文献２には、車両の空調装置に連結してシート通気及び後部座席の空調を行う技術として、コンソール連結ダクトからシート通気のために分岐されたダクトがシートバックの後面から後部座席に空気を吐き出す技術が開示されている。
【００１３】
ところが、特許文献２は、通気のためのシートクッション吐出口及びシートバックベントが同一流路で連結されるため、シートクッションの吐出口は着席した乗客によって塞がれて抵抗が発生し、シートバックベントを通じての後部座席の吐出口は塞がれ方が相対的に小さいため、大部分の空気がシートバックベントを通じて後部座席に吐き出されるため、シートクッションの通気機能を実質的に果たすことができないという問題があった。
【先行技術文献】
【特許文献】
【００１４】
【特許文献１】実開昭６０−１６３１０６号公報
【特許文献２】実開昭６２−１７０３１１号公報
【発明の概要】
【発明が解決しようとする課題】
【００１５】
本発明は、かかる課題を解決するために成されたものであって、車両の空調機（ＨＶＡＣ）に連結してシート通気を行うに当たり、シート通気用ブロアー吸入口と空調機連結ダクトとを離隔構造で連結し、室内空気と空調機から供給された空気とを同時に吸入することができるようにすると共に、室内空気の吸入のためにブロアー吸入口側に通気性不織布シートを装着して、空調機の作動時にもシートの冷房性能を確保することができるようにした空調機連動シート装置を提供することにその目的がある。
【００１６】
また、本発明は、空調機から供給される空気を用いて、シート通気及びシートバックベント構造各々を独立的に作動させ、シート通気性能及び後席部座冷暖房性能の何れも確保することができる空調機連動シート装置を提供することに他の目的がある。
【課題を解決するための手段】
【００１７】
従って本発明は、車両の室内空気状態を制御するための空調機と、シートに装着され、ブロアー吸入口を通じて流入した車両の室内空気をシートクッション及びシートバック側に流動させるシートブロアーと、該シートブロアーと前記空調機との間に空気流動可能に取り付けられる連結ダクトと、前記ブロアー吸入口の縁部に通気可能に形成され、前記連結ダクトに連結されるメッシュフレームと、を含んでなり、前記メッシュフレームには、前記ブロアー吸入口に流入した空気が車両の室内に漏洩することを防止するための通気性不織布シートが付着され、前記通気性不織布シートは、前記空調機の作動時には連結ダクトを通じて供給される前記空調機の冷気が車両の室内に排出されることを防止し、前記空調機の非作動時には車両の室内空気を吸入できるようにすることを特徴とする空調機連動シート装置を提供する。
【００１８】
前記ブロアー吸入口は、その幅方向に連結ダクトの端部との間に一定間隔を持つことができる。
またブロアー吸入口はその垂直方向に連結ダクトの端部との間に一定間隔を持つことができる。
【００１９】
前記空調機連動シート装置は、空気を受けるように空調機に連結されてシートに装着され、シートバックの後面とシートクッションの下面の中から選択されたいずれか一方又は両方に、空調機から供給された空気を吐出する風向転換ベント部を更に含むことができる。
【００２０】
前記風向転換ベント部は、シートバックの内部に装着され、シートバックの後面に空気を吐き出す上部ダクトと、前記上部ダクトに空気流動可能に連結され、シートクッションの下面に空気を吐き出すための開口部を持つ中間ダクトと、開口部を開閉するためのモード転換ドアと、モード転換ドアの開閉動作のためのドアアクチュエーターと、を含むことができる。
【００２１】
前記風向転換ベント部は、ドアアクチュエーターの動作を制御する制御器を含むことができる。
前記制御器は、空調機が乗客の上体に空気を送風するモードであれば、ドアアクチュエーターによってモード転換ドアが中間ダクトの開口部を閉めるように動作させることができる。
【００２２】
前記制御器は、空調機が乗客の上体及び下体の両方に空気を送風するモードであれば、ドアアクチュエーターによってモード転換ドアが中間ダクトの開口部を一部のみ閉めるように動作させることができる。
前記制御器は、空調機が乗客の下体に空気を送風するモードであれば、ドアアクチュエーターによってモード転換ドアが中間ダクトの開口部を開くように動作させることができる。
【００２３】
前記風向転換ベント部は、シートバックの位置変動に対応して変形可能なシートバックフレキシブルダクトを含み、シートバックフレキシブルダクトは上部ダクトと中間ダクトとの間に連結することができる。
【００２４】
前記風向転換ベント部は、シートクッションの位置変動に対応して変形可能なシートクッションフレキシブルダクトを含み、シートクッションフレキシブルダクトは中間ダクトと空調機との間に連結することができる。
【００２５】
前記シートブロアーと空調機との間には、空気流動のための連結ダクトが取り付けられ、連結ダクトは、シートクッションの位置変動に対応して変形可能なフレキシブルダクト部を含むことができる。
【発明の効果】
【００２６】
本発明による空調機連動シート装置は次のような効果がある。
１．熱電素子を用いないでシート通気及び冷房性能を改善することができ、よってコスト低減及び性能向上が可能である。
２．室内温度制御のための空調機の吐出風量低下を最小限にしながら、シート冷暖房性能を向上し、空調機のオフ条件でシート通気を行う時にも、通気性能を維持することができる。
３．空調機から供給される空気を用いて、シート通気とシートバックベント構造とを独立的に備え、シート通気及び後部座席冷暖房性能の何れも充分に確保することができる。
４．空調機から供給された空気（冷気又は暖気）を用いて後部座席冷暖房のためのベント機能を空気の損失なしに実現することができるので、熱損失を最小限にして、後部座席に冷気又は暖気を吐き出すことができる。
【図面の簡単な説明】
【００２７】
【図１】本発明による空調機連動シート装置の冷房のための空気流れを示した図である。
【図２】本発明による空調機連動シート装置の通気構造を説明する図である。
【図３】本発明による空調機連動シート装置の通気構造を説明する図である。
【図４】本発明による空調機とシートの連結構造及びシートのベント構造を概略的に示した図である。
【図５】本発明によるシートに適用された２列ベント構造及びモード転換ドアの動作によるベントモードを示した図である。
【図６】本発明によるシートに適用された２列ベント構造をより詳細に示した図である。
【発明を実施するための形態】
【００２８】
以下、本発明を、当該技術分野で通常の知識を持った者が容易に実施することができるように説明する。
図１は、本発明による空調機連動シート装置の冷房のための空気流れを示した図である。
図１に示すように、本発明の一実施例によれば、車両のシート１０には、車両の室内空気状態を制御するための空調機２０が連結される。
【００２９】
周知のように、空調機（ＨＶＡＣ）は車両の室内空気の温度などを制御するためのものであって、冷房時には室内に冷気を供給して室内温度を下げ、暖房時には室内に暖気を供給して室内温度を上げる機能を果たすように構成される。
シート１０は、乗客の身体下部の荷重を支持する座面部にあたるシートクッション１２と、乗客の身体上部の荷重を支持する背板部にあたるシートバック１４と、を含んでなる。
【００３０】
図２、３は、本発明による空調機連動シート装置の通気構造を説明する図である。
図２、３に示すように、シートクッション１２の下部一側に通気空気の吸入及び送風のためのシートブロアー３０が取り付けられる。
【００３１】
シートブロアー３０は、室内空気を吸入してシートクッション１２及びシートバック１４側に吐き出すように構成され、空気流入のためのブロアー吸入口３１を持つ。
【００３２】
この際、ブロアー吸入口３１を通じて吸入した空気を、シートバック１４及びシートクッション１２側に送出するための第１送出ダクト３２と第２送出ダクト３４とがシートブロアー３０に連結され、第１送出ダクト３２はシートクッション１２側に延設され、第２送出ダクト３４はシートバック１４側に延設される。
【００３３】
前記シートブロアー３０と空調機２０との間には、空調機２０から供給される冷気或は暖気の流動のための連結ダクト２２が取り付けられる。
【００３４】
空調機２０で冷却あるいは加熱されて連結ダクト２２側に供給された空気は、連結ダクト２２に連結されたブロアー吸入口３１を通じてシートブロアー３０に流入し、シートブロアー３０が吸入した室内空気とともにシートバック１４及びシートクッション１２側に送出される。
【００３５】
この際、図３に示すように、室内空気の冷房又は暖房のための空調機２０の吐出風量の低下を最小限にし、空調機２０のオフ（未作動）の際にも室内空気を吸入して通気機能を実行するために、ブロアー吸入口３１と連結ダクト２２とはメッシュフレーム３６を介して連結される。
【００３６】
メッシュフレーム３６は、シートブロアー３０の作動時に室内空気を吸入するためにメッシュ（ＭＥＳＨ）構造を有し、ブロアー吸入口３１の縁部に通気可能に形成されて連結ダクト２２と一体に連結される。
【００３７】
この際、ブロアー吸入口３１は、連結ダクト２２の端部との間に、幅方向に一定間隔を持ち、且つ連結ダクト２２の端部との間に、垂直方向に一定間隔を持つ。
【００３８】
そして、メッシュフレーム３６には、ブロアー吸入口３１に流入した空気が車両の室内に漏洩するのを最小化するか又は防止するための通気性不織布シート３８が付着される。
【００３９】
通気性不織布シート３８をメッシュフレーム３６に付着して、ブロアー吸入口３１から冷気又は温気が室内に漏気するのを制限することにより、シートブロアー３０の吸入空気温度を低く又は高く維持することができる。
【００４０】
このように、ブロアー吸入口３１と連結ダクト２２を離隔間隔を持って結合することにより、シートバック１４及びシートクッション１２に送出するための空気流量をなだらかに確保することができる。
【００４１】
また、ブロアー吸入口３１と連結ダクト２２とを、メッシュフレーム３６を介して離隔連結し、メッシュフレーム３６に通気性不織布シート３８を付着することにより、空調機２０の作動時には連結ダクト２２を通じて供給される空調機２０の冷気が車両の室内に排出されることを防止し、空調機２０の非作動時には室内空気を吸入できるようにする。
【００４２】
一方、このようなシート通気構造を前部座席に設置する場合、後部座席の冷房及び暖房のために、前記シート通気構造と独立的に作動可能な後席ベント構造を構成することにより、シート通気機能と後席ベント機能を何れも満足させるようにする。
【００４３】
図４は、本発明による空調機とシートの連結構造及びシートのベント構造を概略的に示したものであり、図５は、本発明によるシートに適用された２列ベント構造及びモード転換ドアの動作によるベントモードを示したものであり、図６は、本発明によるシートに適用された２列ベント構造をより詳細に示したものである。
【００４４】
図４〜図６に示すように、車両の室内空気状態を制御するための空調機２０は、シート１０に装着された風向転換ベント部５０及びシートブロアー３０と、空気流動可能に連結される。
【００４５】
前述したように、シートブロアー３０は、車両の室内空気を吸入してシートバック１４及びシートクッション１２に送出することができるように構成され、空気を受けることができるように連結ダクト２２を介して空調機２０と連結され、室内空気と共に空調機２０の供給空気を用いてシート通気を可能にする。
【００４６】
風向転換ベント部５０は、空調機２０から空気を受けて車両のリアフロアー及び／又はシートバック１４の後方に吐き出すことができるように構成されて、後部座席ベント機能を具現する。このために、シートバック１４に取り付けられる風向調節グリル部５１と、上部ダクト５２及びシートバックフレキシブルダクト５３と、シートクッション１２に取り付けられる中間ダクト５４と、シートクッションフレキシブルダクト５５と、下部ダクト５６及びドアアクチュエーター５８と、を含む。
【００４７】
下部ダクト５６は、空調機２０の空気吐出のための吐出口に隣り合うように位置して、シートクッションフレキシブルダクト５５と空調機２０の吐出口とを連結し、空調機２０から流入する空気を風向転換ベント部５０に伝達して上部ダクト５２まで供給できるようにする。
【００４８】
風向転換ベント部５０は、空気を受けるように、下部ダクト５６を介して空調機２０と連結され、シートバック１４の後面及びシートクッション１２の下面から選択された何れか一方に空調機２０の供給空気を吐出して、シートバック１４の後方に空気を吐出するか、又はリアフロアー側に空気を吐出し、或はシートバック１４の後面とシートクッション１２の下面とに同時に空気を吐出することも可能である。
【００４９】
上部ダクト５２は、シートバック１４の内部に装着されて、シートバック１４の後面に空気を吐出して伝達するもので、空気流動可能にシートバックフレキシブルダクト５３を介して中間ダクト５４と連結され、下部ダクト５６は、空気流動可能にシートクッションフレキシブルダクト５５を介して中間ダクト５４と連結される。
【００５０】
中間ダクト５４は、シートクッション１２の下面に空気を吐出するための開口部５４ａを持ち、開口部５４ａの開閉のためのモード転換ドア５７が取り付けられる。
【００５１】
モード転換ドア５７は、中間ダクト５４の内部にヒンジ構造を介して回動可能に取り付けられて開口部５４ａを開閉し、開口部５４ａを開いた状態（つまり、フットベントモード）では、中間ダクト５４の内部流路を閉めることになり、開口部５４ａを閉めた状態（つまり、シートバックベントモード）では、中間ダクト５４の内部流路を開くことになる。
【００５２】
言い換えれば、モード転換ドア５７は、空調機２０から供給された空気の流動経路を転換するために、中間ダクト５４の内部流路及び開口部５４ａを選択的に開閉するように構成され、更に開口部５４ａを一部のみ開いて中間ダクト５４の内部流路を部分的に開放することもできる。
【００５３】
モード転換ドア５７は、開口部５４ａを全面的に開いたフットベントモードにおいては、中間ダクト５４の内部流路を完全に閉め、開口部５４ａを通じて吐き出された空気がリアフロアーに送出されるようにし、開口部５４ａを完全に閉めたシートバックベントモードにおいては、中間ダクト５４の内部流路を全面的に開き、下部ダクト５６を通じて流入した空気を上部ダクト５２に伝達するようにする。
【００５４】
ドアアクチュエーター５８は、中間ダクト５４の側面に装着され、このようなモード転換ドア５７の開閉動作のための動力を提供するもので、制御器５９から受けた信号に応じてモード転換ドア５７の開閉動作を調節して、モード転換ドア５７によって送風経路を切り替えるようにする。
【００５５】
制御器５９は、シートクッション１２に取り付けることができ、ドアアクチュエーター５８と信号伝送可能に連結される。
【００５６】
制御器５９は、ドアアクチュエーター５８を作動させてモード転換ドア５７の開閉動作を制御することによって、中間ダクト５４の送風経路を変換させ、また空調機２０の風向調節モード別に連動して（或いは従属して）モード転換ドア５７の開閉動作を調節する信号をドアアクチュエーター５８に伝送して、シート１０のベントモードを制御することができる。
【００５７】
一例として、空調機２０が前部座席乗客の胸部に近づくように身体上部に空気（冷気あるいは暖気）を送風するベントモードである場合に、制御器５９は、モード転換ドア５７が中間ダクト５４の開口部５４ａを閉めるように制御し、ドアアクチュエーター５８によって中間ダクト５４の内部流路を通じて上部ダクト５２に伝達された空気をシートバック１４の後方に吐出させて後部座席乗客の上体側に送風する。
【００５８】
他の例として、空調機２０が前部座席乗客の身体上部及び身体下部の両方に空気（冷気あるいは温気）を送風するバイレベル（ｂｉ−ｌｅｖｅｌ）モードであれば、制御器５９は、モード転換ドア５７が中間ダクト５４の開口部５４ａを一部のみ閉めるようにドアアクチュエーター５８を制御し、中間ダクト５４の内部流路を通じて上部ダクト５２に伝達された一部空気をシートバック１４の後方に吐出させて後席乗客の上体側に送風し、開口部５４ａを通じてシートクッション１２の下方に吐出された残りの空気をリアフロアー側に供給されて後席乗客の下体側に送風する。
【００５９】
更に他の例として、空調機２０が前席乗客の足に近づくように身体下部に空気（冷気あるいは温気）を送風するフットモードの場合に、制御器５９は、モード転換ドア５７が中間ダクト５４の開口部５４ａを開くように制御し、ドアアクチュエーター５８によって中間ダクト５４の内部流路が閉まり、中間ダクト５４に流入した空気の全てを開口部５４ａを通じてシートクッション１２の下方に吐き出させて後部座席乗客の下体側に送風する。
【００６０】
このように、制御器５９は、空調機２０のコントローラーと連動して前記のようなシートベントモードを制御することができる。
【００６１】
一方、下部ダクト５６は、空調機２０のリアフロアー側吐出口に連結され、シートブロアー３０と空調機２０との間に設けられた空気流動のための連結ダクト２２は、空調機２０のシート側吐出口に連結される。この際、シート１０のスライド移動及びシートバック１４の位置移動のために、風向転換ベント部５０と連結ダクト２２とには収縮及び膨脹などの柔軟な変形が可能な波形管形状のフレキシブル構造が適用される。
【００６２】
風向転換ベント部５０には、シートバックフレキシブルダクト５３とシートクッションフレキシブルダクト５５とが適用され、連結ダクト２２にはフレキシブルダクト部２３（図２参照）が適用される。
【００６３】
言い換えれば、風向転換ベント部５０は、シートバック１４の傾き変動などによる位置変動に対応して柔軟に変形可能なシートバックフレキシブルダクト５３がシートバック１４の内部で上部ダクト５２と中間ダクト５４との間に連結され、シート１０の前後方向及び高さ方向への移動によるシートクッション１２の位置及び高さなどの変動に対応して柔軟に変形可能なシートクッションフレキシブルダクト５５がシートクッション１２の下面で中間ダクト５４と下部ダクト５６との間に連結される。
【００６４】
そして、連結ダクト２２は、その中央部にシートクッション１２の位置変動に対応して柔軟に変形可能なフレキシブルダクト部２３が設けられる。
【００６５】
このようなシートバック及びシートクッションフレキシブルダクト５３、５５とフレキシブルダクト部２３は、シート１０及びシートバック１４の位置調節の際、長さ（収縮及び膨脹）、方向、及び形態などの変化が可能であり、これにより空気を損失なしに伝達することができる。
【００６６】
また、シートバック１４の傾き調節などの位置変化の際、シートバック１４と一緒に移動する上部ダクト５２の端部には、シートバック１４の後面に配置される風向調節グリル部５１が吐出口の役目をするように取り付けられる。
【００６７】
風向調節グリル部５１は、シートバック１４の後面（つまり、シートバックボード）に位置するように取り付けられ、上部ダクト５２に流入する空調機２０の空気（冷気あるいは温気）を後部座席乗客に吐出して送風する。この際、送風方向を調節することができるように、左右及び上下にそれぞれ独立的に送風方向を調節することができる格子構造を持つ。
【００６８】
このようなシート通気及びベント構造によって、前部座席シート通気性能と後部座席冷暖房性能を独立的に具現して同時に満足させることができ、更にシートバック１４の後面とシートクッション１２の下面への空気吐出を選択的に調節することにより、空調機２０からリアフロアー又はセンターピラー／コンソール側に吐き出される空気の流動方向を調節するための従来のドアをなくすことができる。
【００６９】
以上、本発明の実施例について詳細に説明したが、本発明の権利範囲は前述した実施例に限定されることはなく、以下の特許請求範囲で定義している本発明の基本概念を用いた当業者の多くの変形及び改良も本発明の権利範囲に含まれるものである。
【符号の説明】
【００７０】
１０    シート
１２    シートクッション
１４    シートバック
２０    空調機
２２    連結ダクト
２３    フレキシブルダクト部
３０    シートブロアー
３１    ブロアー吸入口
３２    第１送出ダクト
３４    第２送出ダクト
３６    メッシュフレーム
３８    通気性不織布シート
４０    後席コンソール
５０    風向転換ベント部
５１    風向調節グリル部
５２    上部ダクト
５３    シートバックフレキシブルダクト
５４    中間ダクト
５５    シートクッションフレキシブルダクト
５６    下部ダクト
５７    モード転換ドア
５８    ドアアクチュエーター
５９    制御器
【図１】
0006674245.tif 000002
【図２】
0006674245.tif 000003
【図３】
0006674245.tif 000004
【図４】
0006674245.tif 000005
【図５】
0006674245.tif 000006
【図６】
0006674245.tif 000007